(57)【特許請求の範囲】
【請求項１】
トップカバーによってシャーシの上面及び両側面が覆われる電子機器の前面パネルの背面にシャーシに垂直固定した縦型回路基板を対向させ、縦型回路基板の前面から上縁を跨いで後方の他の回路基板に接続するワイヤハーネスを有する電子機器の前面パネルにおいて、
前面パネルの裏面から縦型回路基板の上方を通って後方に突出する保護カバー部を形成し、
該保護カバー部によって前記ワイヤハーネスの上面をカバーするように構成するとともに、
前記保護カバー部によって、上記トップカバーを支持するように構成した
ことを特徴とする電子機器の前面パネル。
【発明の詳細な説明】
【０００１】
【発明の属する技術分野】
この発明は、電子機器の前面パネルに関するものであり、特に、筐体内のワイヤハーネスの損傷を防止した電子機器の前面パネルに関するものである。
【０００２】
【従来の技術及び発明が解決しようとする課題】
ＶＴＲやチューナやアンプ等の電子機器は、電子回路部品を搭載したシャーシの後端に背面パネルを立設し、前端に前面パネルを取付け、シャーシの天面と左右両側面をトップカバーにて覆った箱型のものが多い。
【０００３】
図４は従来の筐体を示し、１は前面パネル、２は金属製のトップカバーであり、シャーシ（図示せず）上に垂直に取付けられた操作系の縦型回路基板３が前面パネル１の背面に対向している。
【０００４】
縦型回路基板３には各種のスイッチ等（図示せず）とともにピンヘッダ４が設けられていて、シャーシ上の主回路基板や電源回路基板に接続されているワイヤハーネス５の先端のコネクタ６が、縦型回路基板３の上縁を跨いでピンヘッダ４へ接続される。
【０００５】
此種の電子機器は、各種回路基板を搭載したシャーシに前面パネル１を取付け、最後にトップカバー２が取付けられるが、トップカバー２を取付ける際に、縦型回路基板３の上縁を跨いでいるワイヤハーネス５がトップカバー２のエッジでこすられて、ワイヤハーネス５の被覆が損傷することがある。
【０００６】
また、トップカバー２のエッジがワイヤハーネス５に接触していると、組立て後においてもトップカバー２に加えられる外力や振動によってワイヤハーネス５の被覆が損傷するおそれがある。
【０００７】
そこで、ワイヤハーネスの被覆が損傷を受けるおそれを解消するために解決すべき技術的課題が生じてくるのであり、本発明は上記課題を解決することを目的とする。
【０００８】
【課題を解決するための手段】
この発明は、上記目的を達成するために提案するものであり、トップカバーによってシャーシの上面及び両側面が覆われる電子機器の前面パネルの背面にシャーシに垂直固定した縦型回路基板を対向させ、縦型回路基板の前面から上縁を跨いで後方の他の回路基板に接続するワイヤハーネスを有する電子機器の前面パネルにおいて、前面パネルの裏面から縦型回路基板の上方を通って後方に突出する保護カバー部を形成し、該保護カバー部によって前記ワイヤハーネスの上面をカバーするように構成するとともに、前記保護カバー部によって、上記トップカバーを支持するように構成したことを特徴とする電子機器の前面パネルを提供するものである。
【０００９】
【発明の実施の形態】
以下、この発明の実施の一形態を図に従って詳述する。図１において１１は前面パネル、１２は鉄板をプレス成形したトップカバー、１３はシャーシ１７（後記、図２の符号１７）に垂直に固定された操作系の縦型回路基板であり、前面パネル１１はシャーシの前端に取付けられ、トップカバー１２によってシャーシの上面及両側面が覆われる。
【００１０】
前面パネル１１の背面に対向する縦型回路基板１３には、例えば各種のスイッチ、表示灯、液晶表示装置、赤外線リモートコントロール信号受光部等（図示せず）が搭載されている。前面パネル１１には、縦型回路基板１３に対応する各種の操作キー、表示灯の窓、文字情報表示窓、リモートコントロール信号受光窓等（図示せず）が配置されていて、前面パネル１１の操作キーを介して縦型回路基板１３上のスイッチを入切りしたり、液晶表示装置により前面パネル１の窓内に文字を表示したり、受光窓を通じてリモートコントロール信号を受光するように構成されている。
【００１１】
縦型回路基板１３の前面には、スイッチ等とともにピンヘッダ１４が設けられており、シャーシ上の主回路基板や電源回路基板から引出されたワイヤハーネス１５が縦型回路基板１３の上縁を跨いで、先端に装着されたコネクタ１６がピンヘッダ１４へ接続されている。
【００１２】
前面パネル１１には、裏面の上端近傍から後方へ突出するワイヤ保護カバー部１１ａが形成されており、図１及び図２に示すように、ワイヤ保護カバー部１１ａは縦型回路基板１３の上を通って後方へ延びており、図２に示すシャーシ１７に前面パネル１１を取り付けると、縦型回路基板１３を跨いでいるワイヤハーネス１５の上面はワイヤ保護カバー部１１ａによって覆われる。
【００１３】
したがって、トップカバー１２を後方から前方へスライドさせて組付ける際に、トップカバー１２のエッジはワイヤ保護カバー部１１ａの上面を擦ることはあるが、ワイヤハーネス１５には接触しないので、ワイヤハーネス１５の被覆が傷ついたり破れることはない。また、ワイヤ保護カバー部１１ａは、トップカバー１２を支持することも兼ねる構造となっている。
【００１４】
図３は他の実施形態を示し、２１は前面パネル、２２は操作系の縦型回路基板、２３はシャーシの縦フレームであり、ワイヤハーネス２４のコネクタ２５はシャーシの縦フレーム２３に形成した穴２３ａを通って縦型回路基板２２の前面上部のピンヘッダ２６へ接続されている。
【００１５】
このように、シャーシの縦フレーム２３の穴２３ａにワイヤハーネス２４を通して縦型回路基板２２へ接続する場合も、図示のように前面パネル２１の裏面にワイヤ保護カバー部２１ａを設けて、ワイヤ保護カバー部２１ａが縦型回路基板２２の上方を通って縦フレーム２３の穴２３ａを貫通するように形成すれば、ワイヤハーネス２４が穴２３ａの上縁に接触することがなく、穴２３ａのエッジによって損傷を受けることを防止できる。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明は電子機器の前面パネルの裏面から後方へ突出する保護カバー部を形成し、前面パネルの裏面側に配置された縦型回路基板の上方を通るワイヤハーネスの上面を、ワイヤ保護カバー部によってカバーし、
且つ、上記保護カバー部によって、上記トップカバーを支持するように構成したので、上記トップカバーを組付ける際にトップカバーのエッジがワイヤハーネスに接触することがなく、エッジによってワイヤハーネスの被覆が傷つくことを防止できる。
【図面の簡単な説明】
【図１】本発明の実施の一形態を示し、電子機器の断面図。
【図２】図１の電子機器のトップカバーを取り外した平面図。
【図３】他の実施形態を示し、電子機器の断面図。
【図４】従来例を示し、電子機器の断面図。
【符号の説明】
１１        前面パネル
１１ａ      ワイヤ保護カバー部
１２        トップカバー
１３        縦型回路基板
１５        ワイヤハーネス
１７        シャーシ
２１        前面パネル
２１ａ      ワイヤ保護カバー部
２２        縦型回路基板
２３        縦フレーム
２３ａ      穴
２４        ワイヤハーネス
【図１】
0004320898.tif 000002
【図２】
0004320898.tif 000003
【図３】
0004320898.tif 000004
【図４】
0004320898.tif 000005